(57)【要約】      （修正有）【課題】ファクシミリ受信者の意図通りに迷惑ファクシミリに対処することができるファクシミリ装置を提供する。【解決手段】送信者から送られてくるファクシミリ文書を受信するファクシミリ文書受信手段と、迷惑ファクシミリ相手先記憶手段と、ファクシミリ受信を許可する相手先を記憶しておく相手先記憶手段と、ナンバーアナウンスサービスに自動的に接続するナンバーアナウンスサービス接続手段と、ナンバーアナウンスサービスによって通知される音声を解析する音声解析手段と、前記音声解析手段より得られた発信者番号を利用することで、前記受信文書保存手段に保存されているファクシミリ文書が迷惑ファクシミリであるかどうかを判断する迷惑ファクシミリ判断手段を備え、前記迷惑ファクシミリ判断手段における判断結果に基づき、前記受信文書保存手段に保存されているファクシミリ文書に対する処理を異ならせるようにした。【選択図】図１
2010118849.tif 000002
【特許請求の範囲】
【請求項１】
回線の接続、開放を行う通信制御手段と、
送信者から送られてくるファクシミリ文書を受信するファクシミリ文書受信手段と、
受信したファクシミリ文書を保存する受信文書保存手段と、
迷惑ファクシミリの相手先を記憶しておく迷惑ファクシミリ相手先記憶手段と、
ファクシミリ受信を許可する相手先を記憶しておく正常ファクシミリ相手先記憶手段と、
ナンバーアナウンスサービスに自動的に接続するナンバーアナウンスサービス接続手段と、
ナンバーアナウンスサービスによって通知される音声を解析する音声解析手段と、
前記音声解析手段より得られた発信者番号を利用することで、前記受信文書保存手段に保存されているファクシミリ文書が迷惑ファクシミリであるかどうかを判断する迷惑ファクシミリ判断手段を備え、
前記迷惑ファクシミリ判断手段における判断結果に基づき、前記受信文書保存手段に保存されているファクシミリ文書に対する処理を異ならせることを特徴とするファクシミリ装置。
【請求項２】
ファクシミリ文書を受信した後、ナンバーアナウンスサービスの最大通知件数により規定される一定件数の着呼を受領すると、前記ナンバーアナウンスサービス接続手段によって自動的にナンバーアナウンスサービスに接続することを特徴とする請求項１に記載のファクシミリ装置。
【請求項３】
ファクシミリ文書を受信した後、ユーザにより予め設定されている一定件数の着呼を受領すると、前記ナンバーアナウンスサービス接続手段によって自動的にナンバーアナウンスサービスに接続することを特徴とする請求項１に記載のファクシミリ装置。
【請求項４】
ファクシミリ文書を受信した結果、記憶装置の空き容量が、ユーザにより予め設定されている値を下回った場合に、前記ナンバーアナウンスサービス接続手段によって自動的にナンバーアナウンスサービスに接続することを特徴とする請求項１に記載のファクシミリ装置。
【請求項５】
各ファクシミリ文書の受信終了後に、前記ナンバーアナウンスサービス接続手段によって自動的にナンバーアナウンスサービスに接続することを特徴とする請求項１に記載のファクシミリ装置。
【請求項６】
更に着信履歴整合手段と基準時間保存手段を備え、
前記着信履歴整合手段は、装置における着信履歴とナンバーアナウンスサービスにより通知される着信履歴の双方において、前記基準時間保存手段により保存されている基準着信時刻と、各着信履歴の着信時刻との差を計算し、双方の差の絶対値が閾値以下となった場合に、装置における着信履歴とナンバーアナウンスサービスにより通知される着信履歴は同一の通信によるものである判断することにより、装置における着信履歴と網における着信履歴の整合を取ることを特徴とする請求項１に記載のファクシミリ装置。
【請求項７】
前記迷惑ファクシミリ判断手段により、前記受信文書保存手段に保存されているファクシミリ文書が迷惑ファクシミリであると判断された場合には、該ファクシミリ文書を消去することを特徴とする請求項１に記載のファクシミリ装置。
【請求項８】
更にファクシミリ文書送信手段を備え、
前記迷惑ファクシミリ判断手段により、前記受信文書保存手段に保存されているファクシミリ文書が迷惑ファクシミリであると判断された場合には、前記音声解析手段により得られた発信者番号に対して、前記ファクシミリ文書送信手段を利用して、迷惑ファクシミリの送信をやめるよう警告する文書を送信することを特徴とする請求項１に記載のファクシミリ装置。
【請求項９】
更にファクシミリ文書印刷手段を備え、
前記迷惑ファクシミリ判断手段により、前記受信文書保存手段に保存されているファクシミリ文書が迷惑ファクシミリではないと判断された場合には、前記ファクシミリ文書印刷手段を利用して、該ファクシミリ文書を印刷することを特徴とする請求項１に記載のファクシミリ装置。
【請求項１０】
前記迷惑ファクシミリ判断手段では、前記音声解析手段により得られた発信者番号が、前記迷惑ファクシミリ相手先記憶手段に記憶されているいずれかの番号と同一である場合に、前記受信文書保存手段に保存されているファクシミリ文書を迷惑ファクシミリであると判断することを特徴とする請求項１に記載のファクシミリ装置。
【請求項１１】
前記迷惑ファクシミリ判断手段では、前記音声解析手段によって得られる発信者番号が、前記正常ファクシミリ相手先記憶手段に記憶されているいずれの番号とも同一でない場合には、前記受信文書保存手段に保存されているファクシミリ文書を迷惑ファクシミリであると判断することを特徴とする請求項１に記載のファクシミリ装置。
【請求項１２】
前記迷惑ファクシミリ判断手段では、前記音声解析手段により相手先が発信者番号を通知していないことが判明した場合に、前記受信文書保存手段に保存されているファクシミリ文書を迷惑ファクシミリであると判断することを特徴とする請求項１に記載のファクシミリ装置。
【発明の詳細な説明】
【技術分野】
【０００１】
本発明は、ファクシミリ受信者の意図通りに迷惑ファクシミリに対処することができるファクシミリ装置に関する。
【背景技術】
【０００２】
従来、ファクシミリ装置の普及に伴い、ダイレクトメールの代わりにファクシミリ送信を用いて同様の情報を提供する迷惑ファクシミリが増加している。このような迷惑ファクシミリが記憶装置に蓄積されることにより重要なファクシミリ文書が受信できなくなってしまうことや、迷惑ファクシミリに重要なファクシミリ文書が紛れ込んでしまうことは、ユーザにとって大きな問題である。
【０００３】
上記の問題に対して、送信機の識別番号を表すＴＳＩ信号の情報を利用して、受信したくない相手からの受信を防止する方法が既に知られている。
【０００４】
しかし、今までのＴＳＩを利用した迷惑ファクシミリ防止機能は、送信側のファクシミリ装置においてＴＳＩが入力されていない場合や、また入力されている場合でも虚偽の番号である場合には、ユーザの意図通りに迷惑ファクシミリを防止できないという問題があった。
【０００５】
そこで、特許文献１のように、迷惑ファクスを防止する目的で、ナンバーディスプレイサービスによって提供される発信者番号を利用して、迷惑ファクシミリに対処する手法が開示されている。
【特許文献１】特開２０００−１５６７４４号公報
【発明の開示】
【発明が解決しようとする課題】
【０００６】
しかしながら、このような従来方法では、ナンバーディスプレイサービスを利用するため、当然ながらナンバーディスプレイ機能に対応したファクシミリ装置を利用する必要があり、その使用料が高額であり、コストが嵩むという不具合を生じていた。
【０００７】
本発明は、かかる実情に鑑みてなされたものであり、ファクシミリ受信者の意図通りに迷惑ファクシミリに対処することができるファクシミリ装置を提供すること目的とする。
【課題を解決するための手段】
【０００８】
本発明は、回線の接続、開放を行う通信制御手段と、送信者から送られてくるファクシミリ文書を受信するファクシミリ文書受信手段と、受信したファクシミリ文書を保存する受信文書保存手段と、迷惑ファクシミリの相手先を記憶しておく迷惑ファクシミリ相手先記憶手段と、ファクシミリ受信を許可する相手先を記憶しておく正常ファクシミリ相手先記憶手段と、ナンバーアナウンスサービスに自動的に接続するナンバーアナウンスサービス接続手段と、ナンバーアナウンスサービスによって通知される音声を解析する音声解析手段と、前記音声解析手段より得られた発信者番号を利用することで、前記受信文書保存手段に保存されているファクシミリ文書が迷惑ファクシミリであるかどうかを判断する迷惑ファクシミリ判断手段を備え、前記迷惑ファクシミリ判断手段における判断結果に基づき、前記受信文書保存手段に保存されているファクシミリ文書に対する処理を異ならせるようにしたものである。
【０００９】
また、ファクシミリ文書を受信した後、ナンバーアナウンスサービスの最大通知件数により規定される一定件数の着呼を受領すると、前記ナンバーアナウンスサービス接続手段によって自動的にナンバーアナウンスサービスに接続するようにしたものである。
【００１０】
また、ファクシミリ文書を受信した後、ユーザにより予め設定されている一定件数の着呼を受領すると、前記ナンバーアナウンスサービス接続手段によって自動的にナンバーアナウンスサービスに接続するようにしたものである。
【００１１】
また、ファクシミリ文書を受信した結果、記憶装置の空き容量が、ユーザにより予め設定されている値を下回った場合に、前記ナンバーアナウンスサービス接続手段によって自動的にナンバーアナウンスサービスに接続するようにしたものである。
【００１２】
また、各ファクシミリ文書の受信終了後に、前記ナンバーアナウンスサービス接続手段によって自動的にナンバーアナウンスサービスに接続するようにしたものである。
【００１３】
また、更に着信履歴整合手段と基準時間保存手段を備え、前記着信履歴整合手段は、装置における着信履歴とナンバーアナウンスサービスにより通知される着信履歴の双方において、前記基準時間保存手段により保存されている基準着信時刻と、各着信履歴の着信時刻との差を計算し、双方の差の絶対値が閾値以下となった場合に、装置における着信履歴とナンバーアナウンスサービスにより通知される着信履歴は同一の通信によるものである判断することにより、装置における着信履歴と網における着信履歴の整合を取るようにしたものである。
【００１４】
また、前記迷惑ファクシミリ判断手段により、前記受信文書保存手段に保存されているファクシミリ文書が迷惑ファクシミリであると判断された場合には、該ファクシミリ文書を消去するようにしたものである。
【００１５】
また、更にファクシミリ文書送信手段を備え、前記迷惑ファクシミリ判断手段により、前記受信文書保存手段に保存されているファクシミリ文書が迷惑ファクシミリであると判断された場合には、前記音声解析手段により得られた発信者番号に対して、前記ファクシミリ文書送信手段を利用して、迷惑ファクシミリの送信をやめるよう警告する文書を送信するようにしたものである。
【００１６】
また、更にファクシミリ文書印刷手段を備え、前記迷惑ファクシミリ判断手段により、前記受信文書保存手段に保存されているファクシミリ文書が迷惑ファクシミリではないと判断された場合には、前記ファクシミリ文書印刷手段を利用して、該ファクシミリ文書を印刷するようにしたものである。
【００１７】
また、前記迷惑ファクシミリ判断手段では、前記音声解析手段により得られた発信者番号が、前記迷惑ファクシミリ相手先記憶手段に記憶されているいずれかの番号と同一である場合に、前記受信文書保存手段に保存されているファクシミリ文書を迷惑ファクシミリであると判断するようにしたものである。
【００１８】
また、前記迷惑ファクシミリ判断手段では、前記音声解析手段によって得られる発信者番号が、前記正常ファクシミリ相手先記憶手段に記憶されているいずれの番号とも同一でない場合には、前記受信文書保存手段に保存されているファクシミリ文書を迷惑ファクシミリであると判断するようにしたものである。
【００１９】
また、前記迷惑ファクシミリ判断手段では、前記音声解析手段により相手先が発信者番号を通知していないことが判明した場合に、前記受信文書保存手段に保存されているファクシミリ文書を迷惑ファクシミリであると判断するようにしたものである。
【発明の効果】
【００２０】
したがって、本発明によれば、ナンバーアナウンスサービスによって通知される発信者番号により、受信したファクシミリ文書が迷惑ファクシミリであるかどうかを判断し、その結果に基づき処理を異ならせるようにしているので、ナンバーディスプレイに対応していないファクシミリ装置においても、網から通知されるため信頼出来る発信者番号に基づき、迷惑ファクシミリに対処することが出来るという効果を得る。
【００２１】
また、ファクシミリ文書を受信した後、ナンバーアナウンスサービスの最大通知件数により規定される一定件数の着呼を受領後に自動的にナンバーアナウンスサービスに接続するようにしているので、受信したファクシミリ文書についての網側の着信履歴を、他の着信履歴によって上書きされてしまう前に取得し、迷惑ファクシミリに対処することが出来るという効果も得る。
【００２２】
また、ファクシミリ文書を受信した後、ユーザにより予め設定されている一定件数の着呼を受領後に自動的にナンバーアナウンスサービスに接続するようにしているので、ナンバーアナウンスサービスを利用して情報を取得している間着呼が出来なくなってしまうという問題による影響を抑えつつ、受信したファクシミリ文書についての網側の着信履歴を取得し、迷惑ファクシミリに対処することが出来るという効果を得る。
【発明を実施するための最良の形態】
【００２３】
以下、添付図面を参照しながら、本発明の実施の形態を詳細に説明する。
【００２４】
図１は、本発明の一実施例にかかるファクシミリ装置を含むシステムの一例を示している。
【００２５】
ファクシミリ受信者１は、迷惑ファクシミリの判断方法や、迷惑ファクシミリを受信した際にどのように振る舞うかについて、予め受信側ファクシミリ装置２に設定しておく。
【００２６】
受信側ファクシミリ装置２は、ファクシミリ送信者３がファクシミリ装置４を利用してファクシミリを送信してきた際、以下のように振る舞う。
【００２７】
（１）ファクシミリを受信する。
【００２８】
（２）適切なタイミングでナンバーアナウンスサービスに接続する。
【００２９】
（３）ナンバーアナウンスサービスより着信履歴に関する情報を取得する。
【００３０】
（４）（３）で得た着信履歴に関する情報を利用して、受信したファクシミリ文書が迷惑ファクシミリであるか否かを判断し、その判断結果に応じた処理を行う。
【００３１】
図２は、本実施例にかかるファクシミリ装置の外観の一例を示す斜視図である。
【００３２】
ファクシミリ装置１０の上部には、送信する原稿を置くための原稿台１１と、送信原稿を読み取り部まで搬送するための原稿搬送部１２と、送信原稿を読み取るための原稿読み取り部１３が設けられている。また、送信先などの各種情報を表示するための液晶表示部１４と、各種操作を行うための操作部１５も設けられている。
【００３３】
ファクシミリ装置１０の側面部には、排紙トレイ１６が設けられており、受信したファクシミリ文書はこの排紙トレイに出力される。
【００３４】
図３は、本実施例にかかるファクシミリ装置の基本ブロック図を示している。
【００３５】
各ブロックを制御する部分としてＣＰＵ（中央処理装置）２１がある。ＲＯＭ（リード・オンリ・メモリ）２２にはプログラムが格納されており、ＲＡＭ（ランダム・アクセス・メモリ）２３に展開後実行される。
【００３６】
ファクシミリ送信時には、スキャナ２５において読み取った原稿を、操作指示部２６により指定された設定に基づき、通信制御部２７を利用してファクシミリ通信を行う。なおスキャナ２５は前述の原稿読み取り部１３に、操作指示部２６は前述の各種操作を行うための操作部１５に対応する。
【００３７】
ファクシミリ受信時には、まず受信した原稿を一旦ＮＶＲＡＭ（不揮発性ＲＡＭ）２４に保存する。その後適切なタイミングでナンバーアナウンスサービスに接続し、通知される音声を音声解析部２８で解析することで、受信したファクシミリ文書の送信元に関する情報を取得する。この取得した情報を元に、受信したファクシミリが迷惑ファクシミリであるか否かを判断し、その結果に応じて受信したファクシミリをＮＶＲＡＭ２４から消去する、プロッタ２９で印刷する等の処理を行う。
【００３８】
図４は、本実施例にかかるファクシミリ装置の機能ブロック図を示している。
【００３９】
通信制御手段１０１は、通信制御部２７を利用して、回線の接続、開放を行う部分である。ファクシミリ文書の受信はファクシミリ文書受信手段１０２により行われ、受信したファクシミリ文書は、受信文書保存手段１０６によってＮＶＲＡＭ２４に保存される。
【００４０】
ナンバーアナウンスサービス接続手段１０３は、ナンバーアナウンスサービスに接続して各種操作を行うための手順を知っており、ファクシミリ文書受信後や電話着信後、決められた時刻等の適切なタイミングでナンバーアナウンスサービスに接続を行う。
【００４１】
ナンバーアナウンスサービスにより通知される音声からは、音声解析手段１０７が音声解析部２８を利用して解析を行うことで、発信元の電話番号や着信時刻に関する情報が抽出される。
【００４２】
迷惑ファクシミリ判断手段１０８は、抽出された発信元の電話番号と、迷惑ファクシミリ相手先記憶手段１１１もしくは正常ファクシミリ相手先記憶手段１１２により保存されている相手先情報を利用することで、受信文書保存手段１０６により保存されているファクシミリ文書が迷惑ファクシミリであるか否かの判断を行う。
【００４３】
その結果迷惑ファクシミリではないと判断された場合には、ファクシミリ文書印刷手段１０５によりファクシミリ文書は印刷され、迷惑ファクシミリであると判断された場合には、受信文書保存手段１０６によりファクシミリ文書は消去される。
【００４４】
また、迷惑ファクシミリであると判断された場合には、ファクシミリ文書送信手段１０４を利用して、迷惑ファクシミリの送信をやめるよう警告するファクシミリ文書を、発信元のファクシミリに対して送信することも出来る。
【００４５】
なお、迷惑ファクシミリ相手先記憶手段１１１と正常ファクシミリ相手先記憶手段１１２はそれぞれＮＶＲＡＭ２４に相手先情報を保存しており、またその入力は操作指示部２６を介してユーザにより行われる。
【００４６】
着信履歴整合手段１１０は、ナンバーアナウンスサービスにより通知される着信履歴と装置で記憶している着信履歴の整合を行う。着信履歴整合手段１１０は、ナンバーアナウンスサービスに接続した際に最初に通知された着信時刻と、装置で記憶している最新の着信履歴の着信時刻とをそれぞれ基準時間保存手段１０９を利用して保存しておき、この情報を利用して着信履歴の整合を行う。なお基準時間保存手段１０９は、着信時刻の情報をＮＶＲＡＭ２４に保存する。
【００４７】
図５は、ナンバーアナウンスサービスに接続するタイミングを説明するための図である。
【００４８】
この例では、装置側の着信履歴の件数が、ナンバーアナウンスサービスにより取得可能な着信履歴の最大数である５件に達した場合の、最も古い着信履歴がファクシミリ（ＦＡＸ）であった場合とＴＥＬ（電話）であった場合の振る舞いの違いについて示している。
【００４９】
なお、ここで着信履歴がファクシミリであった場合とは、通信の結果正しくファクシミリ文書を受信している場合のことを指しており、ファクシミリ文書の受信を行おうとしたが途中で通信が切れてしまった場合については、着信履歴はＴＥＬによるものとみなされる。また、ナンバーアナウンスサービスにより通知される着信履歴と、装置側の着信履歴に、不整合は生じていないものとする。
【００５０】
図５（１）は、新たに着信を受けたことにより、装置側の最新の着信履歴がファクシミリ受信となり、また最も古い着信履歴である４個前の着信履歴がＴＥＬ受信となる場合の例を示している。
【００５１】
もしこの状態で新たに着信をうけても、ナンバーアナウンスサービスから情報を取得できなくなってしまう着信履歴はＴＥＬ受信によるものであり、装置側で記憶しているファクシミリ文書に関して、ナンバーアナウンスサービスからその着信履歴の情報を取得することは可能である。
【００５２】
よって、ファクシミリ文書を受信した後、その受信を含めた着信履歴の件数が、ナンバーアナウンスサービスにより取得可能な着信履歴の最大数に達していない場合には、ナンバーアナウンスサービスに接続する必要はない。
【００５３】
図５（２）は、新たに着信を受けたことにより、装置側の最も古い着信履歴である４個前の着信履歴がファクシミリ受信となる場合の例を示している。ナンバーアナウンスサービスにより取得可能な着信履歴の最大数は５であるため、もしこの状態で新たに着信をうけてしまうと、装置側で記憶しているファクシミリ文書に関して、ナンバーアナウンスサービスからその着信履歴の情報を取得できなくなってしまう。
【００５４】
よって、ファクシミリ文書を受信した後、その受信を含めた着信履歴の件数が、ナンバーアナウンスサービスにより取得可能な着信履歴の最大数に達した場合には、ナンバーアナウンスサービスに接続する必要がある。
【００５５】
図６は、ナンバーアナウンスサービスにより通知される着信履歴と、装置側で記憶している着信履歴との整合を取るための手順についての例を示したものである。
【００５６】
この例では、着信は全てファクシミリ受信によるものであるとし、また装置側の着信履歴の件数が、ナンバーアナウンスサービスにより取得可能な着信履歴の最大数である５件に達することにより、ナンバーアナウンスサービスに接続した場合の例を示している。さらに、同一の着信履歴であるか否かを判断する閾値として、あらかじめ５分という値が設定されているものとする。
【００５７】
図６（１）では、ナンバーアナウンスサービスにより通知された１個目の着信履歴と、装置側で保存している最新の着信履歴は、どちらもナンバーアナウンスサービスへ接続するトリガーとなった着信によるものであるため、必ず同一の通信による着信履歴となる。また、これらの着信履歴の時刻を、それぞれ基準通知着信時刻・基準記録着信時刻として記憶しておく。
【００５８】
図６（２）では、ナンバーアナウンスサービスにより通知された２個目の着信履歴の時刻と、基準通知着信時刻との差は３０分である。一方、迷惑ファクシミリの判断を行うファクシミリ文書の着信履歴（＝１個前の着信履歴）と基準記録着信時刻との差は６０分である。
【００５９】
両者の差の絶対値が３０分であるのに対し、同一の着信履歴であるか否かを判断する閾値は５分であるので、両者は同一の通信による着信履歴ではないと判断し、ナンバーアナウンスサービスにより通知された２個目の着信履歴については無視することにする。
【００６０】
なお、このように装置側には存在しない着信履歴が網側に存在するような状況が発生する例としては、ファクシミリ文書の送信先からの発信に対し、装置が着信を認識する前に送信先が発信を止めてしまう場合等が考えられる。
【００６１】
図６（３）では、ナンバーアナウンスサービスにより通知された３個目の着信履歴の時刻と、基準通信着信時刻との差は６１分である。一方、迷惑ファクシミリの判断を行うファクシミリ文書の着信履歴（＝１個前の着信履歴）と基準記録着信時刻との差は６０分である。両者の差の絶対値が１分であるのに対し、同一の着信履歴であるか否かを判断する閾値は５分であるので、両者は同一の通信による着信履歴であると判断する。
【００６２】
図７は、着呼検出時の振る舞いを示したフローチャート（フローチャート１）である。
【００６３】
まず、通信制御手段１０１は着呼を検出する（ステップ２０１）。
【００６４】
次いで、ファクシミリ文書受信手段１０２は、ファクシミリ文書の受信動作を行う（ステップ２０２）。
【００６５】
そして、通信終了時にファクシミリ文書を正常に受信しているか否かにより処理が振り分けられる（ステップ２０３）。
【００６６】
ここで、ファクシミリ文書を正常に受信していなかった場合には、フローチャート３（後述）のＢに進む。また、ファクシミリ文書を正常に受信していた場合には（ステップ２０３の結果がＹＥＳ）、迷惑ファクシミリ防止機能の有効・無効により処理が振り分けられる（ステップ２０４）。
【００６７】
迷惑ファクシミリ防止機能が有効である場合には（ステップ２０４の結果がＹＥＳ）、受信文書保存手段１０６は、受信したファクシミリ文書の保存を行う（ステップ２０５）。また、迷惑ファクシミリ防止機能が無効である場合には（ステップ２０４の結果がＮＯ）、ファクシミリ文書印刷手段１０５は受信したファクシミリ文書を印刷し、処理を終了する（ステップ２０６）。
【００６８】
ステップ２０５に続き、ファクシミリの受信終了後に毎回ナンバーアナウンスサービスに接続する設定になっているか否かにより処理が振り分けられる（ステップ２０７）。ファクシミリの受信終了後に毎回ナンバーアナウンスサービスに接続する設定になっている場合には（ステップ２０７の結果がＹＥＳ）、ナンバーアナウンスサービス接続手段１０３は”１３６（特番）”にダイヤルしナンバーアナウンスサービスに接続する（ステップ２０８）。そして、音声解析手段１０７は、ナンバーアナウンスサービスにより通知される音声を解析し、相手先の電話番号を抽出し（ステップ２０９）、フローチャート２へ進む。
【００６９】
一方、ファクシミリの受信終了後に毎回ナンバーアナウンスサービスに接続する設定になっていない場合には（ステップ２０７の結果がＮＯ）、フローチャート３のＡに進む。
【００７０】
図８は、ファクシミリの受信終了後に毎回ナンバーアナウンスサービスに接続する場合における、迷惑ファクシミリであるか否かの判断とその結果に基づいた処理を行う流れを示したフローチャート（フローチャート２）である。
【００７１】
まず、相手先から電話番号が通知されているか否かにより処理が振り分けられる（ステップ３０１）。相手先から電話番号が通知されている場合には（ステップ３０１の結果がＹＥＳ）、ステップ３０２へ進む。一方、相手先から電話番号が通知されていない場合には（ステップ３０１の結果がＮＯ）、ステップ３０８へ進む。
【００７２】
ステップ３０２では、迷惑ファクシミリの判断方式により処理が振り分けられる。ここで、ホワイトリスト方式で行う場合（ステップ３０２の結果がＹＥＳ）、相手先から通知された電話番号が、正常ファクシミリ相手先記憶手段１１２に記憶されている場合には（ステップ３０３の結果がＹＥＳ）、ファクシミリ文書印刷手段１０５は受信文書保存手段に保存されているファクシミリ文書を印刷し、処理を終了する（ステップ３０５）。一方、相手先から通知された電話番号が、正常ファクシミリ相手先記憶手段１１２に記憶されていない場合には（ステップ３０３の結果がＮＯ）、ステップ３０６へ進む。
【００７３】
一方、ブラックリスト方式で行う場合で、ステップ３０２の結果がＮＯになる場合、相手先から通知された電話番号が、迷惑ファクシミリ相手先記憶手段１１１に記憶されていない場合には（ステップ３０４の結果がＮＯ）、ステップ３０５へすすみ、ファクシミリ文書印刷手段１０５は受信文書保存手段に保存されているファクシミリ文書を印刷し、処理を終了する。また、相手先から通知された電話番号が、迷惑ファクシミリ相手先記憶手段１１１に記憶されている場合には（ステップ３０４の結果がＮＯの場合）、ステップ３０６へ進む。
【００７４】
ステップ３０６では、相手先に警告ファクシミリを送り返す設定になっているか否かにより処理が振り分けられる。相手先に警告ファクシミリを送り返す設定になっている場合には（ステップ３０６の結果がＹＥＳ）、ファクシミリ文書送信手段１０４は、迷惑ファクシミリの送信をやめるよう警告する文書を送信する（ステップ３０７）。一方、相手先に警告ファクシミリを送り返す設定になっていない場合には（ステップ３０６の結果がＮＯ）、ステップ３０８へ進む。
【００７５】
ステップ３０８では、受信文書保存手段１０６は保存しているファクシミリ文書を消去し、処理を終了する。
【００７６】
図９は、ナンバーアナウンスサービスに接続するか否かの判断を行う際の振る舞いを示したフローチャート（フローチャート３）である。なおここで有効着呼件数とは、記憶装置内に保存されている最も古いファクシミリ文書の受信から数えての着呼件数のことを表す。
【００７７】
まず、着呼がファクシミリによるものであるか電話によるものであるのかによってフローチャートのスタート地点が異なる。すなわち、着呼がファクシミリによるものであった場合には、有効着呼件数のカウントを行い、フローチャートはステップ４０２より開始される。また、着呼が電話によるものであった場合には、フローチャートはステップ４０１より開始される。
【００７８】
ステップ４０１では、記憶装置内に受信ファクシミリ文書が存在しているか否かにより処理が振り分けられる。ここで、受信ファクシミリ文書が存在している場合には（ステップ４０１の結果がＹＥＳ）、有効着呼件数のカウントを行い、ステップ４０２へ進む。また、受信ファクシミリ文書が存在していない場合には（ステップ４０１の結果がＮＯ）、処理を終了する。
【００７９】
ステップ４０２では、有効着呼件数がナンバーアナウンスの最大取得件数に達しているか否かによって処理が振り分けられる。ここで、ナンバーアナウンスの最大取得件数に達している場合には（ステップ４０２の結果がＹＥＳ）、ステップ４０５へ進む。また、ナンバーアナウンスの最大取得件数に達していない場合には（ステップ４０２の結果がＮＯ）、ステップ４０３へ進む。
【００８０】
ステップ４０３では、有効着呼件数がユーザにより予め規定されている最大件数に達しているか否かによって処理が振り分けられる。ここで、ユーザにより予め規定されている最大件数に達している場合には（ステップ４０３の結果がＹＥＳ）、ステップ４０５へ進む。また、ユーザにより予め規定されている最大件数に達していない場合には（ステップ４０３の結果がＮＯ）、ステップ４０４へ進む。
【００８１】
ステップ４０４では、記憶装置の空き容量がユーザにより予め規定されている値を下回っているか否かにより処理が振り分けられる。ここで、ユーザにより予め規定されている値を下回っている場合には（ステップ４０４の結果がＹＥＳ）、ステップ４０５へ進む。また、ユーザにより予め規定されている値を下回っていない場合には（ステップ４０４の結果がＮＯ）処理を終了する。
【００８２】
ステップ４０５では、ナンバーアナウンスサービス接続手段１０３は”１３６”にダイヤルしナンバーアナウンスサービスに接続し、フローチャート４へ進む。
【００８３】
図１０は、ファクシミリの受信終了後に毎回ナンバーアナウンスサービスに接続する設定になっていない場合における、迷惑ファクシミリであるか否かの判断とその結果に基づいた処理を行う流れを示したフローチャート（フローチャート４）である。この場合には、網側の着信履歴と装置側の着信履歴の整合を取る必要がある。
【００８４】
なお、ステップ５０９（後述）では、保存している全てのファクシミリ文書の処理が終了していないにも関わらず、取得した着信履歴の件数がナンバーアナウンスサービスの最大取得件数に達した場合を想定しているが、これは装置側には存在しない着信履歴が網側に存在するような場合に発生しうる状況であり、この様な場合には保存しているファクシミリ文書が迷惑ファクシミリであるか否かを判断できないため、ファクシミリ文書の印刷を行う。
【００８５】
まず、音声解析手段１０７は、ナンバーアナウンスサービスにより通知される音声を解析し、相手先の電話番号と着信時刻を抽出し（ステップ５０１）、ナンバーアナウンスサービスにより取得した着信履歴が、１個目の着信履歴であるか否かにより処理が振り分けられる（ステップ５０２）。ここで、１個目の着信履歴である場合には（ステップ５０２の結果がＹＥＳ）、基準時間保存手段１０９は、ナンバーアナウンスサービスによって通知された着信時刻を基準通知着信時刻として、また装置側で保存している最新の着信履歴の着信時刻を基準記録着信時刻として保存し、ステップ５０３へ進む。
【００８６】
また、１個目の着信履歴ではない場合には（ステップ５０２の結果がＮＯ）、着信履歴整合手段１１０は、まず基準通知着信時刻と、今回ナンバーアナウンスサービスにより通知された着信時刻との差を計算する。また、基準記録着信時刻と、整合の対象となる機器側の着信履歴の着信時刻との差を計算する。両者の差の絶対値を計算し、その値が予め規定した値以内に収まっているか否かにより処理が振り分けられる（ステップ５０４）。
【００８７】
ここで、ステップ５０４の結果がＹＥＳになるときには、ステップ５０５へ進む。また、ステップ５０４の結果がＮＯになるときには、ステップ５０７へ進む。
【００８８】
ステップ５０５では、整合の対象となる機器側の着信履歴がファクシミリによるものであるか否かにより処理が振り分けられる。ここで、整合の対象となる機器側の着信履歴がファクシミリによるものであった場合には（ステップ５０５の結果がＹＥＳ）、フローチャート２に記載されている迷惑ファクシミリ対応処理を行う（ステップ５０６）。また、整合の対象となる機器側の着信履歴がファクシミリによるものでない場合には（ステップ５０５の結果がＮＯ）、ステップ５０７へ進む。
【００８９】
ステップ５０７では、記憶装置に保存されていた全てのファクシミリ文書の処理が終了したか否かにより処理が振り分けられる。ここで、全てのファクシミリ文書の処理が終了している場合には（ステップ５０７の結果がＹＥＳ）、処理を終了する。また、全てのファクシミリ文書の処理が終了していない場合には（ステップ５０７の結果がＮＯ）、ステップ５０８へ進む。
【００９０】
ステップ５０８では、ナンバーアナウンスサービスにより取得した着信履歴の件数が、ナンバーアナウンスサービスの最大取得件数に達したか否かにより処理が振り分けられる。ここで、ナンバーアナウンスサービスの最大取得件数に達した場合には（ステップ５０８の結果がＹＥＳ）、ファクシミリ文書印刷手段１０５は保存されている残りのファクシミリ文書を全て印刷し、処理を終了する（ステップ５０９）。また、ナンバーアナウンスサービスの最大取得件数に達していない場合には（ステップ５０８の結果がＮＯ）、ナンバーアナウンスサービス接続手段１０３は”３”をダイヤルし次の着信履歴の通知を要求した後（ステップ５１０）、ステップ５０１に進む。
【００９１】
図１１は、本実施例にかかる液晶表示部１４における、迷惑ファクシミリ機能に関する各設定を行う画面の例を示している。この例では、迷惑ファクシミリ防止機能がＯＮに設定されており、迷惑ファクシミリ防止方式としてはブラックリスト方式が選択されている。
【００９２】
また、迷惑ファクシミリを受信した際にその発信元に警告ファクシミリを送信する機能はＯＦＦに設定されている。
【００９３】
図１２は、本実施例にかかる液晶表示部１４における、迷惑ファクシミリの相手先を登録する画面の例を示している。
【００９４】
図１１の画面において、ブラックリスト方式を選択して登録ボタンを押下することで、本画面に遷移する。この画面において登録されている電話番号よりファクシミリ文書を受け取った場合には、そのファクシミリ文書を迷惑ファクシミリであると判断して処理を行う。なお、ホワイトリスト方式の選択時に表示される登録画面も同様なレイアウトとなる。
【図面の簡単な説明】
【００９５】
【図１】本発明の一実施例にかかるファクシミリ装置を含むシステムの一例を示した概略図。
【図２】本実施例にかかるファクシミリ装置の外観の一例を示す斜視図。
【図３】本実施例にかかるファクシミリ装置の基本ブロック図。
【図４】本実施例にかかるファクシミリ装置の機能ブロック図。
【図５】ナンバーアナウンスサービスに接続するタイミングを説明するための概略図。
【図６】ナンバーアナウンスサービスにより通知される着信履歴と、装置側で記憶している着信履歴との整合を取るための手順についての例を示した概略図。
【図７】着呼検出時の振る舞いを示したフローチャート（フローチャート１）。
【図８】着呼検出時の振る舞いを示したフローチャート（フローチャート２）。
【図９】着呼検出時の振る舞いを示したフローチャート（フローチャート３）。
【図１０】着呼検出時の振る舞いを示したフローチャート（フローチャート４）。
【図１１】本実施例にかかる液晶表示部１４における、迷惑ファクシミリ機能に関する各設定を行う画面の例を示した概略図。
【図１２】図１１の画面でブラックリスト方式を選択して登録ボタンを押下することで遷移する画面の例を示した概略図。
【符号の説明】
【００９６】
２１  ＣＰＵ（中央処理装置）
２２  ＲＯＭ（リード・オンリ・メモリ）
２３  ＲＡＭ（ランダム・アクセス・メモリ）
２４  ＮＶＲＡＭ（不揮発性ＲＡＭ）
２５  スキャナ
２６  操作指示部
２７  通信制御部
２８  音声解析部
２９  プロッタ
１０１  通信制御手段
１０２  ファクシミリ文書受信手段
１０３  ナンバーアナウンスサービス接続手段
１０４  ファクシミリ文書送信手段
１０５  ファクシミリ文書印刷手段
１０６  受信文書保存手段
１０７  音声解析手段
１０８  迷惑ファクシミリ判断手段
１０９  基準時間保存手段
１１０  着信履歴整合手段
１１１  迷惑ファクシミリ相手先記憶手段
１１２  正常ファクシミリ相手先記憶手段
【図１】
2010118849.tif 000003
【図２】
2010118849.tif 000004
【図３】
2010118849.tif 000005
【図４】
2010118849.tif 000006
【図５】
2010118849.tif 000007
【図６】
2010118849.tif 000008
【図７】
2010118849.tif 000009
【図８】
2010118849.tif 000010
【図９】
2010118849.tif 000011
【図１０】
2010118849.tif 000012
【図１１】
2010118849.tif 000013
【図１２】
2010118849.tif 000014